(57)【要約】      （修正有）【課題】発電出力を予測する発電出力予測装置、発電出力予測システム及び発電出力予測方法を提供する。【解決手段】発電出力予測装置２０は、現在または将来の積雪深情報と、天候情報と、第１気温情報と、日射量情報とを取得する第１取得部と、積雪が太陽光発電設備の発電に影響を及ぼさない積雪深を示す第１基準積雪深と、第１基準積雪深よりも大きく積雪により太陽光発電設備が発電できない積雪深を示す第２基準積雪深とに対する積雪深の大小関係を判定する閾値判定部と、第１判定部において積雪深が第１基準積雪深と第２基準積雪深との間の値であると判定された場合、天候情報または第１気温情報のいずれか一方に基づいて、太陽光発電設備の発電に対して積雪が及ぼす影響度合いを示す積雪係数を算出する積雪係数算出部と、積雪係数と日射量情報とに基づいて太陽光発電設備の発電出力を算出する発電出力算出部とを備える。【選択図】図１３
2019219978.tif 000002
【特許請求の範囲】
【請求項１】
現在または将来の積雪深を示す積雪深情報と、将来における、天候を示す天候情報と、気温を示す第１気温情報と、太陽光発電設備が設置されている地点における日射量を示す日射量情報と、を取得する第１取得部と、
積雪が前記太陽光発電設備の発電に影響を及ぼさない積雪深を示す第１基準積雪深と、前記第１基準積雪深よりも大きく、積雪により前記太陽光発電設備が発電できない積雪深を示す第２基準積雪深と、に対する前記積雪深の大小関係を判定する第１判定部と、
前記第１判定部において前記積雪深が前記第１基準積雪深と前記第２基準積雪深との間の値であると判定された場合、前記天候情報または前記第１気温情報のいずれか一方に基づいて、前記太陽光発電設備の発電に対して積雪が及ぼす影響度合いを示す積雪係数を算出する積雪係数算出部と、
前記積雪係数と、前記日射量情報と、に基づいて前記太陽光発電設備の発電出力を算出する発電出力算出部と、
を備えることを特徴とする発電出力予測装置。
【請求項２】
前記天候は、雪またはみぞれである
ことを特徴とする請求項１に記載の発電出力予測装置。
【請求項３】
前記積雪係数は、将来における、前記太陽光発電設備の発電出力を予測する予測日の前記天候を示す天候情報と、前記予測日の前日の前記天候を示す天候情報と、の組み合わせに応じた天候積雪係数、又は、前記予測日の前記気温を示す第１気温情報と、前記予測日の前日の前記気温を示す第１気温情報と、の組み合わせに応じた気温積雪係数のいずれかである
ことを特徴とする請求項１または請求項２に記載の発電出力予測装置。
【請求項４】
前記積雪深の予測値を示す積雪深情報に基づいて前記太陽光発電設備の発電出力を算出する、請求項１乃至請求項３のいずれかに記載の発電出力予測装置と、
前記積雪深の予測値を算出する積雪深予測装置と、
を備え、
前記積雪深予測装置は、
現在または過去の第１時点における積雪深を示す積雪深情報と、前記第１時点から将来の第２時点までの期間における気温に関する第２気温情報と、を取得する第２取得部と、
前記第２気温情報と、気温が融雪に影響を与える度合いを示す融雪高係数と、に基づいて、前記第１時点から前記第２時点までに融雪した高さを示す融雪高を算出する融雪高算出部と、
前記積雪深情報と、前記融雪高を示す融雪高情報と、に基づいて、前記第２時点の積雪深の予測値を算出する予測値算出部と、
を有する
ことを特徴とする発電出力予測システム。
【請求項５】
前記第２気温情報は、１日の平均気温を示す情報であり、
前記融雪高算出部は、前記平均気温が所定の気温を超過している場合に、前記第２気温情報と、気温が融雪に影響を与える度合いを示す第１融雪高係数と、に基づいて前記融雪高を算出する
ことを特徴とする請求項４に記載の発電出力予測システム。
【請求項６】
前記第２気温情報は、前記第１時点から前記第２時点までの期間において、所定の時点の気温が所定の基準気温を超過した分に関する値の情報であり、
前記融雪高算出部は、前記第２気温情報と、前記所定の時点の気温が前記基準気温を超えた分に関する値が融雪に影響を与える度合いを示す第２融雪高係数と、に基づいて前記第１時点から前記第２時点までの前記融雪高を算出する
ことを特徴とする請求項４に記載の発電出力予測システム。
【請求項７】
前記取得部は、前記第１時点から前記第２時点までの期間における、天候を示す天候情報と、気温を示す第３気温情報と、降水量を示す降水量情報と、を取得し、
前記天候情報と、前記第３気温情報と、前記降水量情報と、天候が、雪、または、みぞれのときに降水量が積雪に影響を与える度合いを示す第１積雪高係数と、気温が所定の値以下のときに降水量が積雪に影響を与える度合いを示す第２積雪高係数と、に基づいて、前記第１時点から前記第２時点までに積雪した高さを示す積雪高を算出する積雪高算出部
をさらに備え、
前記予測値算出部は、前記積雪深情報と、前記融雪高情報と、前記積雪高を示す積雪高情報と、に基づいて、前記第２時点の積雪深の予測値を算出する
ことを特徴とする請求項５または請求項６に記載の発電出力予測システム。
【請求項８】
コンピュータが、
現在または将来の積雪深を示す積雪深情報と、将来における、天候を示す天候情報と、気温を示す第１気温情報と、太陽光発電設備が設置されている地点における日射量を示す日射量情報と、を取得する第１取得ステップと、
積雪が前記太陽光発電設備の発電に影響を及ぼさない積雪深を示す第１基準積雪深と、前記第１基準積雪深よりも大きく、積雪により前記太陽光発電設備が発電できない積雪深を示す第２基準積雪深と、に対する前記積雪深の大小関係を判定する第１判定ステップと、
前記第１判定ステップにおいて前記積雪深が前記第１基準積雪深と前記第２基準積雪深との間の値であると判定された場合、前記天候情報または前記第１気温情報に基づいて、前記太陽光発電設備の発電に対して積雪が及ぼす影響度合いを示す積雪係数を算出する積雪係数算出ステップと、
前記積雪係数と、前記日射量情報と、に基づいて前記太陽光発電設備の発電出力を算出する発電出力算出ステップと、
を実現する発電出力予測方法。
【発明の詳細な説明】
【技術分野】
【０００１】
本発明は、発電出力予測装置、発電出力予測システム、発電出力予測方法に関する。
【背景技術】
【０００２】
例えば、過去の日射量データに基づいて太陽光発電電力量を予測する太陽光発電量予測装置が知られている。（例えば特許文献１）。
【先行技術文献】
【特許文献】
【０００３】
【特許文献１】特開平１１−６５６８６号公報
【発明の概要】
【発明が解決しようとする課題】
【０００４】
特許文献１には、特定した地域における日射量データに基づいて、太陽光発電設備で発電される電力量を予測する予測装置が開示されている。また、特許文献１に記載されている予測装置では、当該地域が多雪地域である場合、降雪が太陽光発電に影響を及ぼす旨の注意記号を表示する。しかし、当該予測装置では、降雪終了後における太陽光発電設備のパネル上の積雪の影響による太陽光発電設備の発電出力の低下を考慮していないため、発電出力の予測精度が低くなる虞があった。
【課題を解決するための手段】
【０００５】
前述した課題を解決する主たる本発明は、現在または将来の積雪深を示す積雪深情報と、将来における、天候を示す天候情報と、気温を示す第１気温情報と、太陽光発電設備が設置されている地点における日射量を示す日射量情報と、を取得する第１取得部と、積雪が前記太陽光発電設備の発電に影響を及ぼさない積雪深を示す第１基準積雪深と、前記第１基準積雪深よりも大きく、積雪により前記太陽光発電設備が発電できない積雪深を示す第２基準積雪深と、に対する前記積雪深の大小関係を判定する第１判定部と、前記第１判定部において前記積雪深が前記第１基準積雪深と前記第２基準積雪深との間の値であると判定された場合、前記天候情報または前記第１気温情報のいずれか一方に基づいて、前記太陽光発電設備の発電に対して積雪が及ぼす影響度合いを示す積雪係数を算出する積雪係数算出部と、前記積雪係数と、前記日射量情報と、に基づいて前記太陽光発電設備の発電出力を算出する発電出力算出部と、を備える。
本発明の他の特徴については、添付図面および本明細書の記載により明らかとなる。
【発明の効果】
【０００６】
本発明によれば、将来の天候または気温に基づいて太陽光発電設備の発電出力を予測するにあたり、予測日における積雪による太陽光発電設備の発電出力への影響を考慮できるため、発電出力の予測精度を向上できる。
【図面の簡単な説明】
【０００７】
【図１】発電出力予測システムの構成の一例を示す図である。
【図２】積雪予測装置のハードウェア構成の一例を示す図である。
【図３】積雪予測装置のソフトウェア構成の一例を示す図である。
【図４】過去諸量情報テーブルの一例を示す表である。
【図５】予測諸量情報テーブルの一例を示す表である。
【図６】第１融雪高係数情報テーブルの一例を示す表である。
【図７】第２融雪高係数情報テーブルの一例を示す表である。
【図８】第１積雪高係数情報テーブルの一例を示す表である。
【図９】第２積雪高係数情報テーブルの一例を示す表である。
【図１０】気温と第２基準気温との関係の一例を示すグラフである。
【図１１】積雪予測装置の動作手順の一例を示すフロー図である。
【図１２】発電出力予測装置のハードウェア構成の一例を示す図である。
【図１３】発電出力予測装置のソフトウェア構成の一例を示す図である。
【図１４】積雪深情報テーブルの一例を示す表である。
【図１５】積雪係数情報テーブルの一例を示す表である。
【図１６】予測諸量情報テーブルの一例を示す表である。
【図１７】発電出力予測装置の動作手順の一例を示すフロー図である。
【図１８】積雪が継続している状況における積雪深と積雪係数との関係の一例を示す第１積雪係数グラフである。
【図１９】天候が回復している状況における積雪深と積雪係数との関係の一例を示す第２積雪係数グラフである。
【図２０】天候が回復している状況における積雪深と積雪係数との関係の一例を示す第３積雪係数グラフである。
【発明を実施するための形態】
【０００８】
本明細書および添付図面の記載により、少なくとも以下の事項が明らかとなる。以下の説明において、同一符号を付した部分は同一の要素を表し、その基本的な構成および動作は同様であるものとする。
【０００９】
＝＝＝発電出力予測システム１＝＝＝
発電出力予測システム１は、積雪深を考慮するとともに、将来における天候または気温に基づいて、太陽光発電設備３００の将来における発電出力を算出するシステムである。
【００１０】
図１は、発電出力予測システム１の構成の一例を示す図である。図１に示すように、発電出力予測システム１は、積雪予測装置１０と、発電出力予測装置２０と、を含んで構成されている。発電出力予測システム１は、例えば、通信ネットワーク１０００を介して、気象庁データベース１００と、各種センサー２００（例えば、積雪センサー２１０、気温センサー２２０、雨量センサー２３０および日射センサー２４０）と、通信可能に接続されている。通信ネットワーク１０００とは、インターネット回線でもよいし、発電出力予測システム１と直接無線通信可能な回線であってもよい。発電出力予測システム１は、積雪深を予測するための各種情報を気象庁データベース１００から取得してよい。また、発電出力予測システム１は、各種センサー２００から取得してデータを積雪予測装置１０の記憶装置１３や発電出力予測装置２０の記憶装置２３に格納して、積雪深の予測または発電出力の予測に利用してもよい。
【００１１】
積雪予測装置１０は、太陽光発電設備３００の発電出力を予測する予測日よりも前の将来の所定の時点（以下、「積雪予測時点」と称する。）における積雪深を算出する装置である。発電出力予測装置２０は、積雪が太陽光発電設備３００に及ぼす影響を考慮するように、天候または気温に基づいて、将来の所定の時点（以下、「予測日」と称する。）における発電出力を算出する装置である。発電出力予測装置２０は、現在または積雪予測時点における積雪深が所定の閾値未満である場合には、積雪が太陽光発電設備３００の発電に影響を及ぼさないとし、所定の閾値を超過する場合には、積雪により太陽光発電設備３００が発電しないとして、予測日における発電出力を算出する。発電出力予測装置２０は、積雪予測時点における積雪深を用いて上述した閾値と比較する場合、積雪予測装置１０で算出した積雪予測時点における積雪深を用いる。
【００１２】
なお、図１においては、積雪予測装置１０と発電出力予測装置２０とが別々の装置として示されているが、１台の情報処理装置でそれぞれの機能を実現するように構成されていてもよい。
【００１３】
以下において、積雪予測装置１０および発電出力予測装置２０のそれぞれについて詳細に説明する。
【００１４】
＝＝積雪予測装置１０＝＝
積雪予測装置１０は、上述したように、積雪予測時点における積雪深を算出する装置である。積雪予測装置１０は、現在の積雪深から積雪予測時点にかけて融雪する雪の量を削減し、現在の積雪深に現時点から積雪予測時点にかけて新たに積雪する雪の量を加算することにより、積雪予測時点における積雪深を算出する。
【００１５】
ここで、融雪する雪の量とは、現在から積雪予測時点までの期間における気温に関する値に、所定の係数を適用して算出される値である。気温に関する値とは、例えば、気温そのものを示す値か、又は、所定の時点における気温が予め定められた所定の基準気温を超過した分の値である。所定の係数とは、気温が融雪に影響を与える度合いを示す予め定められた係数であり、少なくとも、予め定められた所定の基準気温から超過した気温そのものに対する第１融雪高係数と、所定の時点における気温が予め定められた所定の基準気温を超過した分の積算値に対する第２融雪高係数と、が定められている。なお、以下において、融雪する雪の量を“融雪高”として説明する。融雪高の算出手法については、詳細に後述する。
【００１６】
また、積雪する雪の量とは、現在から積雪予測時点までの期間における天候、気温および降水量に、所定の係数を適用して算出される値である。所定の係数とは、所定の天候および気温において降水量が積雪に影響を与える度合いを示す予め定められた係数であり、少なくとも、天候に対する第１積雪高係数と、気温に対する第２積雪高係数と、が定められている。なお、以下において、積雪する雪の量を“積雪高”として説明する。積雪する雪の量の算出手法については、詳細に後述する。
【００１７】
なお、説明の便宜上、以下においては、一例として、積雪予測時点を現在から２日後の発電出力を予測する“予測日”として説明する。ただし、過去の所定の時点から積雪予測時点までの期間において、融雪高および積雪高を算出してもよい。また、積雪予測時点は、気温、天候および降水量を示す情報が取得できる将来の日であればよく、現在からの経過日数は限定されない。つまり、積雪予測時点は、例えば、現在の翌日でもよいし、現在の１週間後の日でもよい。
【００１８】
上述した機能を有する積雪予測装置１０について、以下詳細に説明する。
【００１９】
図２は、積雪予測装置１０のハードウェア構成の一例を示す図である。図２に示すように、積雪予測装置１０のハードウェアは、プロセッサ１１と、メモリ１２と、記憶装置１３と、入力装置１４と、出力装置１５と、第１通信装置１６と、を含んで構成されている。プロセッサ１１は、例えば、ＭＰＵ、ＣＰＵなどである。メモリ１２は、例えば、ＲＡＭ、ＲＯＭ、ＮＶＲＡＭなどである。記憶装置１３は、例えば、ＲＡＭ、ＲＯＭ、ＮＶＲＡＭなどである。入力装置１４は、ユーザから操作入力を受け付けるユーザインタフェースであり、例えば、操作入力装置（キーボード、マウス、タッチパネル等）、音声入力装置（マイクロフォン等）などである。出力装置１５は、各種情報をユーザに提供するユーザインタフェースであり、例えば、表示装置（液晶モニタ等）、音声出力装置（スピーカ等）などである。第１通信装置１６は、通信ネットワーク１０００または発電出力予測装置２０と通信可能に接続するためのインタフェースであり、例えば、無線ＬＡＮアダプタ、ＮＩＣ（Network Interface Card）などである。
【００２０】
図３は、積雪予測装置１０のソフトウェア構成の一例を示す図である。図３に示すように、積雪予測装置１０のソフトウェアは、第２取得部１０ａと、モード選択部１０ｂと、第１判定部１０ｃと、第２判定部１０ｄと、第１融雪高算出部１０ｅと、第２融雪高算出部１０ｆと、積雪高算出部１０ｇと、積雪算出部１０ｈと、の機能部を有する。これらの機能部は、例えば、積雪予測装置１０のプロセッサ１１がメモリ１２に格納されているプログラムを読み出して実行することで実現される。なお、これらの機能部は、例えば、ＡＳＩＣなどのハードウェアにより実現されてもよい。また、該プロセッサ１１が外部記憶媒体に格納されているプログラムを読み出して実行することにより実現されてもよい。
【００２１】
なお、図３において、積雪予測装置１０が１台の情報処理装置（コンピュータ）で各機能を実現しているように示しているがこれに限定されない。例えば、上述した各機能を２台以上の情報処理装置で分散して実現するように構成されていてもよい。以下においては、一例として１台の情報処理装置で各機能を実現することとして説明する。
【００２２】
積雪予測装置１０は、第１通信装置１６を介して気象庁データベース１００や各種センサー２００などから入力される各種情報、上述した各機能部で算出される各種情報を記憶装置１３の各種テーブルに格納する機能を有する。
【００２３】
具体的に述べると、記憶装置１３には、図４に例示するような、過去または現在における、積雪深を示す積雪深情報と、気温を示す気温情報と、天候を示す天候情報と、降水量を示す降水量情報と、が対応付けられた過去諸量情報テーブル１０ｉと、図５に例示するような、将来における、気温を示す気温情報と、天候を示す天候情報と、降水量を示す降水量情報と、が対応付けられた第１予測諸量情報テーブル１０ｊと、図６に例示するような、第１基準気温を示す気温情報と、予め定められた第１融雪高係数と、が対応付けられた第１融雪高係数情報テーブル１０ｋと、図７に例示するような、第２基準気温を示す気温情報と、予め定められた第２融雪高係数と、が対応付けられた第２融雪高係数情報テーブル１０Ｌと、図８に例示するような雪やみぞれ等の天候を示す天候情報と、予め定められた第１積雪高係数と、が対応付けられた第１積雪高係数情報テーブル１０ｍと、図９に例示するような、気温と、予め定められた第２積雪高係数と、が対応付けられた第２積雪高係数情報テーブル１０ｎと、が格納されている。なお、各テーブルに示されている数値は一例を示すものであり、また、説明の便宜上、各テーブルにおける第１融雪高係数、第２融雪高係数、第１積雪高係数および第２積雪高係数を記号列で示しているが、該各記号列には予め定められた数値が設定されているものとする。また、図８に示す第１積雪高係数情報テーブル１０ｍでは天候情報として“雪”および“みぞれ”を示しているが、この表示は例示であり、例えば“雪”または“みぞれ”に対応する気象庁の予報文の表示を含むものとする。
【００２４】
以下、積雪予測装置１０の各機能部について詳細に説明する。
【００２５】
第２取得部１０ａは、気象庁データベース１００や各種情報を観測する各種センサー２００から出力される各種情報を、第１通信装置１６を介して取得する機能部である。
【００２６】
モード選択部１０ｂは、融雪高を算出する際に、気温そのものから第１基準気温を減算したものを変数として利用するモード（以下、「第１モード」と称する。）と、気温と予め定められた第２基準気温との関係の積算値を変数として利用するモード（以下、「第２モード」と称する。）のいずれかを選択する機能部である。モード選択部１０ｂは、例えば、積雪を予測する地域ごとに、第１モードを選択するのか、第２モードを選択するのか、を紐づけしていてもよい。これにより、予測地域における特有の状況に応じて最適な処理モードを選択できる。また、例えば、月ごとに、第１モードを選択するのか、第２モードを選択するのか、を紐づけしていてもよい。これにより、月ごとにおける天候および気温の特有の変化に応じて最適な処理モードを選択できる。さらに、積雪予測装置１０を操作する操作者が、操作のたびに選択をしてもよい。
【００２７】
第１判定部１０ｃは、現在の積雪深と所定の閾値とを比較する機能部である。後述する第１融雪高算出部１０ｅおよび第２融雪高算出部１０ｆは、第１判定部１０ｃで比較した結果に基づいて、融雪高を算出する算出方法を切り替える。
【００２８】
なお、所定の閾値とは、例えば、現在から予測日までの日数に応じて、現在から予測日までの日数が大きいほど、大きく設定される値である。このことは、予測日までに経過する日数が大きいほど、現在から予測日までに融雪する量が多くなることを考慮したものである。
【００２９】
第２判定部１０ｄは、第１モードにおいて第１判定部１０ｃが現在の積雪深が所定の閾値よりも大きいと判定した場合に、現在から予測日までの気温が第１基準気温を超過、例えば０℃を超えるか否かを判定する機能部である。なお、現在から予測日までの気温とは、例えば、１日のうちの所定の時点における気温や１日の平均気温などであるが、以下においては１日の平均気温として説明する。
【００３０】
第１融雪高算出部１０ｅは、第１判定部１０ｃおよび第２判定部１０ｄの判定結果に基づいて融雪高を算出する機能部である。第１融雪高算出部１０ｅでは、気温が所定の第１基準気温を超過、例えば第１基準気温を“０℃”に設定した場合、０℃を超える融雪する日において、当該気温から第１基準気温を減算した結果を示す値に、所定の第１基準気温に応じた第１融雪高係数を適用して融雪高を算出する。第１融雪高係数とは、所定の気温が融雪に影響を与える度合いを示す係数であり、予め定められた値である。具体的な算出方法については、積雪予測装置１０の処理手順において詳細に後述する。
【００３１】
第２融雪高算出部１０ｆは、第２モードにおいて第１判定部１０ｃの判定結果に基づいて融雪高を算出する機能部である。第２融雪高算出部１０ｆでは、第１判定部１０ｃが現在の積雪深が所定の閾値よりも大きいと判定した場合、翌日以降において、時刻毎の気温が所定の第２基準気温を超過する分の積算値を算出する。該積算値に、所定の第２基準気温に応じた第２融雪高係数を適用して融雪高を算出する。第２融雪高係数とは、所定の時点の気温が第２基準気温を超えた分に関する値が融雪に影響を与える度合いを示す係数であり、予め定められた値である。具体的な算出方法については、積雪予測装置１０の処理手順において詳細に後述する。
【００３２】
積雪高算出部１０ｇは、現在から予測日までに新たに積雪する積雪高を算出する機能部である。積雪高算出部１０ｇでは、天候情報と、気温情報と、降水量情報と、天候が“雪”または“みぞれ”のときに降水量が積雪に影響を与える度合いを示す第１積雪高係数と、気温が所定の値以下（例えば氷点下等）のときに、降水量が積雪に影響を与える度合いを示す第２積雪高係数と、に基づいて、現在から予測日までの積雪高を算出する。第１積雪高係数および第２積雪高係数は、予め定められた値である。
【００３３】
積雪高算出部１０ｇでは、天候が雪のときに降水量がある場合や、気温が所定の値（例えば氷点下等）のときに降水量がある場合に、その状況において積雪が生じることを考慮して積雪高を算出する。なお、積雪高算出部１０ｇでは、天候情報と、降水量情報と、第１積雪高情報と、のみで積雪高を算出してもよく、また、気温情報と、降水量情報と、第２積雪高情報と、のみで積雪高を算出してもよい。また、天候が雪のときの降水量に基づいて積雪を計算することにかえて、天候がみぞれのときの降水量に基づいて積雪を計算してもよい。具体的な算出方法については、積雪予測装置１０の処理手順において詳細に後述する。
【００３４】
積雪算出部１０ｈは、現在の積雪深情報と、融雪高を示す融雪高情報と、積雪高を示す積雪高情報と、に基づいて、予測日の積雪深を算出する機能部である。算出された予測日の積雪深を示す積雪深情報は、第１通信装置１６を介して発電出力予測装置２０に送信される。なお、積雪算出部１０ｈでは、現在の積雪深情報と融雪高情報のみで予測日の積雪深を算出してもよい。具体的な算出方法については、積雪予測装置１０の処理手順において詳細に後述する。
【００３５】
＝＝＝積雪予測装置１０の算出手順＝＝＝
図１１は、積雪予測装置１０の動作手順の一例を示すフロー図である。図１１を参照しつつ、積雪予測装置１０の算出手順の一例について以下のとおり説明する。なお、以下においては、現在から２日後の積雪深を予測するものとし、現在の１日後を翌日、２日後を予測日として説明する。
【００３６】
操作者は、予測する予測地域を選定する。積雪予測装置１０は、設定された予測地域ごとに全予測地域の処理を実行する（Ｓ１）。
【００３７】
積雪予測装置１０は、現在から予測日までの融雪高を算出する処理を以下のとおり実行する（Ｓ２〜Ｓ１４）。
【００３８】
まず、所定の予測地域において、モード選択部１０ｂは、第１モードか第２モードを選択する（Ｓ２）。モード選択部１０ｂは、所定の予測地域に予め紐づけされているモードを選択してもよいし、予測月に予め紐づけされているモードを選択してもよいし、操作者からの指示信号に基づいてモードを選択してもよい。
【００３９】
モード選択部１０ｂにおいて平均気温に基づいて融雪高を算出する第１モードが選択された場合（Ｓ２：第１モード）、第１判定部１０ｃは、現在の積雪深が所定の閾値を超えるか否かを判定する（Ｓ３）。このとき、第１判定部１０ｃは、過去諸量情報テーブル１０ｉから現在の積雪深情報を取得し、現在の積雪深と予め定められた所定の閾値とを比較する。具体的に述べると、第１判定部１０ｃは、例えば、所定の閾値が“２ｃｍ”に設定されたとき、現在の積雪深が“１ｃｍ”である場合、現在の積雪深が予測日までに全て融雪するように、第１融雪高算出部１０ｅまたは第２融雪高算出部１０ｆに処理を移行させる。一方、現在の積雪深が“３ｃｍ”である場合、現在の積雪深が予測日までに全て融雪しないため、融雪高を計算させるように、第１融雪高算出部１０ｅまたは第２融雪高算出部１０ｆに処理を移行させる。
【００４０】
第１判定部１０ｃにおいて現在の積雪深が所定の閾値以下と判定された場合（Ｓ３：閾値以下）、第１融雪高算出部１０ｅは、融雪高に現在の積雪深を設定する（Ｓ４）。これにより、現在から予測日までに現在の積雪が全て融雪することとして予測日の積雪深が算出される。
【００４１】
第１判定部１０ｃにおいて現在の積雪深が所定の閾値以下と判定された場合（Ｓ３：閾値超過）、第２判定部１０ｄは、第１予測諸量情報テーブル１０ｊから翌日の平均気温（以下、「翌日気温」と称する。）および予測日の平均気温（以下、「予測日気温」と称する。）を取得して、翌日気温および予測日気温が第１基準気温を超過、例えば０℃を超過するか否かを判定する（Ｓ５，Ｓ７，Ｓ９）。なお、平均気温は、例えば、第１予測諸量情報テーブル１０ｊの例えば０時〜２３時までの気温を平均した値である。また、第２判定部１０ｄの説明のとおり、平均気温にかえて１日のうちの所定の時刻の気温が第１基準気温を超過、例えば０℃を超過するか否かを判定してもよい。
【００４２】
第２判定部１０ｄにおいて翌日気温および予測日気温が第１基準気温を超過、例えば０℃を超過する場合（Ｓ５：ＹＥＳ）、第１融雪高算出部１０ｅは、第１融雪高係数情報テーブル１０ｋから第１融雪高係数を取得して、翌日および予測日における融雪高の合計を式（１）により算出する（Ｓ６）。なお、式（１）における第１融雪高係数は、所定の第１基準気温に対応する係数である。また、式（１）の第１項が翌日における融雪高であり、第２項が予測日における融雪高である。
［数１］
融雪高  ＝（（翌日気温−第１基準気温）×第１融雪高係数）＋（（予測日気温−第１基準気温）×第１融雪高係数）・・（１）
【００４３】
第２判定部１０ｄにおいて翌日気温が第１基準気温を超過、例えば０℃を超過し予測日気温が第１基準気温以下、例えば氷点下である場合（Ｓ７：ＹＥＳ）、第１融雪高算出部１０ｅは、第１融雪高係数情報テーブル１０ｋから第１融雪高係数を取得して、翌日における融雪高を式（２）により算出する（Ｓ８）。つまり、この場合、予測日においては気温が第１基準気温以下、例えば氷点下であるため融雪が生じないように算出する。
［数２］
融雪高  ＝  （翌日気温−第１基準気温）×第１融雪高係数    ・・・・・・・・・・・・・・・（２）
【００４４】
第２判定部１０ｄにおいて翌日気温が第１基準気温以下、例えば氷点下であり予測日気温が第１基準気温を超過、例えば０℃を超過する場合（Ｓ９：ＹＥＳ）、第１融雪高算出部１０ｅは、第１融雪高係数情報テーブル１０ｋから第１融雪高係数を取得して、予測日における融雪高を式（３）により算出する（Ｓ１０）。つまり、この場合、翌日においては気温が第１基準気温以下、例えば氷点下であるため融雪が生じないように算出する。
［数３］
融雪高  ＝  （予測日気温−第１基準気温）×第１融雪高係数    ・・・・・・・・・・・・・・（３）
【００４５】
第２判定部１０ｄにおいて上述した条件以外である、翌日気温および予測日気温が第１基準気温以下、例えば氷点下である場合（Ｓ９：ＮＯ）、現在から予測日にかけて融雪しないため、融雪高を“０”とする（Ｓ１１）。
【００４６】
上述したＳ５〜Ｓ１１の処理により、各日の平均気温が第１基準気温を超過、例えば０℃を超過する場合は当該日において融雪が生じ、平均気温が第１基準気温以下、例えば０℃以下の場合は当該日において融雪が生じない、という状況を融雪高の算出に反映できる。
【００４７】
次に、モード選択部１０ｂにおいて気温と第２基準気温との関係に基づいて融雪高を算出する第２モードが選択された場合（Ｓ２：第２モード）の融雪高の算出方法について説明する。
【００４８】
第１判定部１０ｃは、現在の積雪深が所定の閾値を超えるか否かを判定する（Ｓ１２）。このとき、第１判定部１０ｃは、過去諸量情報テーブル１０ｉから現在の積雪深情報を取得し、現在の積雪深と予め定められた所定の閾値とを比較する。
【００４９】
第１判定部１０ｃにおいて現在の積雪深が所定の閾値以下と判定された場合（Ｓ１２：閾値以下）、第１融雪高算出部１０ｅは、融雪高に現在の積雪深を設定する（Ｓ１３）。これにより、現在から予測日までに現在の積雪が全て融雪するように予測日の積雪深が算出される。
【００５０】
第１判定部１０ｃにおいて現在の積雪深が所定の閾値よりも大きいと判定された場合（Ｓ１２：閾値超過）、第２融雪高算出部１０ｆは、現在から予測日にかけて気温が第２基準気温を超過した気温積算値を算出する。第２融雪高算出部１０ｆは、第２融雪高係数情報テーブル１０Ｌから第２基準気温に対応する第２融雪高係数を取得して、翌日および予測日における融雪高の合計を式（４）により算出する（Ｓ１４）。なお、以下において、翌日の気温積算値を翌日気温積算値とし、予測日の気温積算値を予測日気温積算値として説明する。
［数４］
融雪高  ＝  （翌日気温積算値×第２融雪高係数）
＋（予測日気温積算値×第２融雪高係数）    ・・・・・・・（４）
【００５１】
ここで、上述した気温積算値について、図１０を参照しながら以下説明する。
【００５２】
図１０は、気温と第２基準気温との関係の一例を示す基準グラフである。図１０では、一例として、第２基準気温を“０℃”に設定している場合、各時刻における気温が第２基準気温を何度超えているかを棒グラフ上に数値で示している。この図１０のグラフは、例えば、第１判定部１０ｃが第１予測諸量情報テーブル１０ｊから時刻情報と気温情報とを取得することにより作成される。気温積算値の算出方法について具体的に述べると、７時では１℃を示しているため、第２基準気温を超過する気温の値として“１”が算出される。同様に、各時刻における第２基準気温を超過する気温の値を算出し、この値を１日分積算する。このように積算して算出される図１０の気温積算値は“２６．６”となる。なお、設定される第２基準気温は、例えば融雪が生じにくい気温である“１℃”や“−１℃”などであってもよく、特に限定されない。
【００５３】
上述したＳ１４の処理のように、各日の各時刻における気温が第２基準気温（例えば０℃）を超過する値を積算して気温積算値を用いることにより、１日における融雪する可能性のある状況を、適切に融雪高の算出に反映できる。
【００５４】
次に、積雪予測装置１０は、現在から予測日までの積雪高を算出する積雪高算出部１０ｇにおける処理を以下のとおり実行する（Ｓ１５）。
【００５５】
積雪高算出部１０ｇは、第１予測諸量情報テーブル１０ｊから天候情報および降水量情報を取得し、第１積雪高係数情報テーブル１０ｍから第１積雪高係数を取得し、第２積雪高係数情報テーブル１０ｎから第２積雪高係数を取得し、翌日および予測日における合計の積雪高を式（５）により算出する（Ｓ１５）。なお、以下において、翌日の天候を翌日天候とし、翌日の平均気温を翌日気温とし、翌日の降水量を翌日降水量とし、予測日の天候を予測日天候とし、予測日の平均気温を予測日気温とし、予測日の降水量を予測日降水量とする。
［数５］
積雪高  ＝  （翌日天候×翌日降水量×第１積雪高係数）
＋（翌日気温×翌日降水量×第２積雪高係数）
＋（予測日天候×予測日降水量×第１積雪高係数）
＋（予測日気温×予測日降水量×第２積雪高係数）  ・・・・・・（５）
【００５６】
例えば、式（５）の第１項および第３項の翌日天候および予測日天候については“雪”の場合を“１”、それ以外の天候を”０”とする。第２項および第４項の翌日気温および予測日気温については“０℃以下”の場合を“１”、“０℃超過”の場合を“０”とする。ただし、上記の“雪”にかえて“みぞれ”などの場合に“１”としてもよい。また、上記の“０℃以下”、“０℃超過”にかえて“−１℃以下”、“−１℃超過”などの、降水量が積雪に影響する気温を設定してもよい。
【００５７】
次に、積雪算出部１０ｈは、現在の積雪深と、Ｓ２〜Ｓ１４の処理で算出された融雪高と、Ｓ１５の処理で算出された積雪高と、に基づいて予測日の積雪深を算出する（Ｓ１６）。積雪算出部１０ｈは、翌日および予測日における積雪深の合計を式（６）により算出する。
［数６］
予測日積雪深  ＝  現在積雪深−融雪高＋積雪高    ・・・・・・・・・・・（６）
【００５８】
これにより、現在から予測日までに現在の積雪が融雪する融雪高を減算し、現在の積雪に対して新たに積雪する積雪高を加算して、予測日の積雪深を算出できる。
【００５９】
上述したように、積雪予測装置１０は、Ｓ２〜Ｓ１６の処理を全予測地域に対して実行する（Ｓ１）。積雪予測装置１０は、算出した予測日の積雪深情報を発電出力予測装置２０に送信する。
【００６０】
＝＝発電出力予測装置２０＝＝
発電出力予測装置２０は、積雪が太陽光発電設備３００に及ぼす影響を考慮するとともに、天候または気温に基づいて、予測日における発電出力を算出する装置である。発電出力予測装置２０は、積雪予測時点（予測日）における積雪深情報を取得するために、積雪予測装置と通信可能に接続されている。
【００６１】
発電出力予測装置２０は、現在および将来の時点における積雪深を示す積雪深情報を、積雪予測装置１０から取得する。なお、発電出力予測装置２０は、現在における積雪深情報を積雪センサー２１０から取得してもよい。また、気象庁データベース１００から、予測日における天候に関する天候情報および予測日における日射量を示す日射量情報を取得する。なお、発電出力予測装置２０は、積雪深情報および天候情報の両方を気象庁データベース１００から取得してもよい。さらに、発電出力予測装置２０は、予め、それぞれの情報を記憶装置２３に格納していてもよい。ここで、積雪深情報とは、例えば、予測日の１２時の積雪深を示す情報とする。
【００６２】
発電出力予測装置２０が積雪予測装置１０から取得する予測日における積雪深情報を用いることにより、現在の積雪深情報を用いるよりも、積雪が太陽光発電設備３００の発電に全く影響しない状況であるか、積雪により太陽光発電設備３００が発電できない状況であるか、を正確に判定できる。
【００６３】
発電出力予測装置２０は、太陽光発電設備３００のパネル上に積雪がある状況において、正確に発電出力を予測するために、天候情報または気温情報のいずれか一方に基づいて、積雪が継続している状態であるか否かを判定して、その判定結果に応じて積雪係数を算出する。ここで、積雪係数とは、太陽光発電設備３００のパネル上の積雪が太陽光発電設備３００の発電出力に及ぼす影響を経験的に算出した係数であり、詳細に後述する。発電出力予測装置２０は、日射量情報と太陽光発電設備３００の設備仕様に基づいて算出される発電出力に、積雪係数を適用して太陽光発電設備３００のパネル上の積雪を考慮した予測日における発電出力を算出する。
【００６４】
上述した機能を有する発電出力予測装置２０について、以下詳細に説明する。
【００６５】
図１２は、発電出力予測装置２０のハードウェア構成の一例を示す図である。図１２に示すように、発電出力予測装置２０のハードウェアは、プロセッサ２１と、メモリ２２と、記憶装置２３と、入力装置２４と、出力装置２５と、第２通信装置２６と、を含んで構成されている。プロセッサ２１は、例えば、ＭＰＵ、ＣＰＵなどである。メモリ２２は、例えば、ＲＡＭ、ＲＯＭ、ＮＶＲＡＭなどである。記憶装置２３は、例えば、ＲＡＭ、ＲＯＭ、ＮＶＲＡＭなどである。入力装置２４は、ユーザから操作入力を受け付けるユーザインタフェースであり、例えば、操作入力装置（キーボード、マウス、タッチパネル等）、音声入力装置（マイクロフォン等）などである。出力装置２５は、各種情報をユーザに提供するユーザインタフェースであり、例えば、表示装置（液晶モニタ等）、音声出力装置（スピーカ等）などである。第２通信装置２６は、通信ネットワーク１０００または積雪予測装置１０と通信可能に接続するためのインタフェースであり、例えば、無線ＬＡＮアダプタ、ＮＩＣ（Network Interface Card）などである。
【００６６】
図１３は、発電出力予測装置２０のソフトウェア構成の一例を示す図である。図１３に示すように、発電出力予測装置２０のソフトウェアは、第１取得部２０ａと、閾値判定部２０ｂと、判定方法選択部２０ｃと、雪判定部２０ｄと、みぞれ判定部２０ｅと、気温判定部２０ｆと、積雪係数算出部２０ｇと、発電出力算出部２０ｈと、の機能部を有する。これらの機能部は、例えば、発電出力予測装置２０のプロセッサ２１がメモリ２２に格納されているプログラムを読み出して実行することで実現される。なお、これらの機能部は、例えば、ＡＳＩＣなどのハードウェアにより実現されてもよい。また、該プロセッサ２１が外部記憶媒体に格納されているプログラムを読み出して実行することにより実現されてもよい。
【００６７】
なお、図１３において、発電出力予測装置２０が１台の情報処理装置（コンピュータ）で各機能を実現しているように示しているがこれに限定されない。例えば、上述した各機能を２台以上の情報処理装置で分散して実現するように構成されていてもよい。以下においては、一例として１台の情報処理装置で各機能を実現することとして説明する。
【００６８】
発電出力予測装置２０は、第２通信装置２６を介して気象庁データベース１００や各種センサー２００などから入力される各種情報、上述した各機能部で算出される各種情報を記憶装置２３の各種テーブルに格納する機能を有する。
【００６９】
具体的に述べると、記憶装置２３には、図１４に例示するような、現在または予測日（積雪予測時点）における、発電出力を予測する予測地点と、現在または予測日の積雪深を示す積雪深情報と、が対応付けられている積雪情報テーブル２０ｉと、図１５に示すような、各モードと、積雪が継続しているか否か（翌日から予測日にかけての、雪、みぞれ、気温の状況変化）の状況と、積雪係数を示すグラフと、が対応付けられている積雪係数情報テーブル２０ｊと、図１６に示すような、予測日における、予測地点と、気象庁データベース１００から取得する、天候情報と、気温情報と、日射量情報と、が対応付けられている一例を示す第２予測諸量情報テーブル２０ｋと、が格納されている。
【００７０】
以下、発電出力予測装置２０の各機能部について詳細に説明する。なお、以下において、発電出力予測装置２０は、現在から２日後の発電出力を予測することとし、現在の１日後を“翌日”と称し、現在の２日後を“予測日”と称して説明する。
【００７１】
第１取得部２０ａは、気象庁データベース１００、各種情報を観測する各種センサー２００および積雪予測装置１０から出力される各種情報を、第２通信装置２６を介して取得する機能部である。
【００７２】
閾値判定部２０ｂは、太陽光発電設備３００のパネル上の積雪が、その発電に影響を及ぼさない積雪深の上限値（以下、「第１基準積雪深」と称する。）と、太陽光発電設備３００のパネル上の積雪により太陽光発電設備３００が発電できない積雪深の下限値（以下、「第２基準積雪深」と称する。）と、に対して、現在または将来の積雪深（以下、「特定積雪深」と称する。）が大きいか否かを判定する機能部である。なお、以下においては、説明の便宜上、閾値判定部２０ｂにおいては、積雪予測装置１０から取得する予測日の積雪深を特定積雪深として、第１基準積雪深および第２基準積雪深と比較して判定するものとする。
【００７３】
具体的に述べると、閾値判定部２０ｂは、特定積雪深が第１基準積雪深よりも小さい（以下、「第１積雪状況」と称する。）か、特定積雪深が第２基準積雪深よりも大きい（以下、「第２積雪状況」と称する。）か、特定積雪深が第１基準積雪深以上で第２基準積雪深以下である（以下、「第３積雪状況」と称する。）か、を判定する。これにより、発電出力予測装置２０は、予測日（または現在）において、積雪が太陽光発電設備３００の発電に影響を及ぼす状態か否かを判定できるため、その状態に応じて正確に発電出力を予測できる。それぞれの状況における積雪係数の算出方法については、発電出力予測装置２０の処理手順において、詳細に説明する。
【００７４】
なお、上記における“発電に影響を及ぼさない”とは、パネル上の積雪により、パネルに到達する太陽光が実質的に遮られないことをいう。つまり、この状況においては、太陽光はパネル上の積雪により僅かに遮られることはあるものの、積雪が実質的に太陽光発電設備３００の発電に影響を及ぼさない。また、上記における“発電できない”とは、パネル上の積雪により太陽光がパネル表面に到達できないことをいう。つまり、この状況においては、太陽光はパネル上の積雪により遮られるため、太陽光発電設備３００は発電できない。
【００７５】
判定方法選択部２０ｃは、積雪係数を算出する際に、天候が雪を示すか否かを判定する処理モード（以下、「第１モード」と称する。）か、天候がみぞれを示すか否かを判定する処理モード（以下、「第２モード」と称する。）か、気温が所定の値を下回るか否か判定する処理モード（以下、「第３モード」と称する。）か、のいずれかを選択する機能部である。判定方法選択部２０ｃは、例えば、積雪を予測する予測地域ごとに、第１モード〜第３モードのいずれかを紐づけしてもよい。これにより、予測地域における特有の状況に応じて最適な処理モードが選択される。また、例えば、月ごとに、第１モード〜第３モードのいずれかを紐づけしてもよい。これにより、月ごとの天候および気温の特有の変化に応じて最適な処理モードが選択される。さらに言うと、積雪予測装置１０を操作する操作者が、操作のたびに選択をしてもよい。
【００７６】
雪判定部２０ｄは、翌日および予測日が雪か否かを判定する機能部である。具体的には、雪判定部２０ｄは、翌日および予測日のそれぞれについて雪または雪以外であるかを特定し、翌日および予測日のどの組み合わせに該当するかを判定する。例えば、翌日が“雪”で予測日が“雪以外”である場合、後述する積雪係数算出部２０ｇは、その組み合わせに対応する積雪係数グラフを適用する。これにより、翌日および予測日の天候（雪か否か）に応じた積雪係数グラフを適用できるため、正確な発電出力を算出できる。雪判定部２０ｄの判定方法については、発電出力予測装置２０の処理手順において、詳細に説明する。
【００７７】
みぞれ判定部２０ｅは、翌日および予測日がみぞれか否かを判定する機能部である。具体的には、雪判定部２０ｄと同様に、みぞれ判定部２０ｅは、翌日および予測日のそれぞれについてみぞれ又はみぞれ以外であるかを特定し、翌日および予測日のどの組み合わせに該当するかを判定する。これにより、翌日および予測日の天候（みぞれか否か）に応じた積雪係数グラフを適用できるため、正確な発電出力を算出できる。なお、みぞれ判定部２０ｅは、みぞれのみを判定するのではなく、みぞれまたは雪であるか否かを判定してもよい。みぞれに雪を含めることで、より良好な判定が可能となるためである。ただし、以下においては、説明の便宜上、みぞれ判定部２０ｅは、みぞれのみを判定することとして説明する。みぞれ判定部２０ｅの判定方法については、発電出力予測装置２０の処理手順において、詳細に説明する。
【００７８】
気温判定部２０ｆは、翌日および予測日の気温が所定の値未満か否かを判定する機能部である。具体的には、気温判定部２０ｆは、翌日および予測日のそれぞれについて、気温が０℃未満または０℃以上であるかを特定し、翌日および予測日におけるどの気温の組み合わせに該当するかを判定する。これにより、翌日および予測日の気温に応じた積雪係数グラフを適用できるため、正確な発電出力を算出できる。気温判定部２０ｆの判定方法については、発電出力予測装置２０の処理手順において、詳細に説明する。
【００７９】
積雪係数算出部２０ｇは、積雪深情報と、雪判定部２０ｄ、みぞれ判定部２０ｅまたは気温判定部２０ｆにおける判定結果と、に基づいて積雪係数を算出する機能部である。具体的に説明すると、積雪係数算出部２０ｇは、閾値判定部２０ｂで第１積雪状況と判定された場合、積雪が“発電に影響を及ぼさない”と判断して例えば積雪係数を“１”に設定する。これにより、予測日の発電出力を算出するときに、積雪の影響を除外できる。また、積雪係数算出部２０ｇは、閾値判定部２０ｂで第２積雪状況と判定された場合、積雪により“発電できない”と判断して例えば積雪係数を“０”に設定する。これにより、予測日の発電出力は、積雪の影響により“０ｋＷ”として算出される。上記の判定により、太陽光発電設備３００のパネル上に積雪があったとしても、所定の予測積雪深では発電に影響を及ぼさず、また、所定の積雪深を超えると発電できなくなるという傾向を発電出力の予測に反映できる。さらに、積雪係数算出部２０ｇは、閾値判定部２０ｂで第３積雪状況と判定された場合、翌日および予測日の天候または気温により、積雪が発電出力に及ぼす影響が変化することから、雪判定部２０ｄ、みぞれ判定部２０ｅまたは気温判定部２０ｆにおける判定結果に基づいて積雪係数情報テーブル２０ｊを参照しつつ、予め定められている積雪係数グラフに基づいて最適な積雪係数を算出する。積雪係数算出部２０ｇの算出方法については、発電出力予測装置２０の処理手順において、詳細に説明する。
【００８０】
発電出力算出部２０ｈは、積雪係数算出部２０ｇで算出された積雪係数に基づいて、予測日の発電出力を算出する機能部である。具体的には、発電出力算出部２０ｈは、式（６）に積雪係数および予測日における日射量を入力する。なお、設備係数および発電容量は、予め記憶装置２３に記憶されている情報である。これにより、予測日における太陽光発電設備３００の発電出力を算出できる。
［数７］
2019219978.tif 000003
（但し、Ｗは発電出力、Ｒは設備係数、Ｖは発電容量、Ｓは日射量、Ｑは積雪係数を表す。）
【００８１】
＝＝発電出力予測装置２０の処理手順＝＝
図１７は、発電出力予測装置２０の動作手順の一例を示すフロー図である。図１７を参照しつつ、発電出力予測装置２０の動作手順の一例について以下のとおり説明する。なお、以下においては、現在から２日後の発電出力を予測するものとし、上述したように、現在の１日後を翌日、２日後を予測日として説明する。
【００８２】
操作者は、予測する予測地域を選定する。発電出力予測装置２０は、設定された予測地域ごとに全予測地域の処理を実行する（Ｓ２０）。
【００８３】
発電出力予測装置２０は、予測日の積雪係数を算出する処理を以下のとおり実行する（Ｓ２１〜Ｓ４６）。
【００８４】
まず、第１取得部２０ａは、現在および予測日の積雪深情報を積雪予測装置１０から取得し、予測日の日射量情報を気象庁データベース１００から取得する（Ｓ２１）。
【００８５】
次に、閾値判定部２０ｂは、積雪情報テーブル２０ｉに格納されている予測日の積雪深を示す特定積雪深と、予め定められている第１基準積雪深および第２基準積雪深と、を比較する（Ｓ２２）。
【００８６】
特定積雪深が第１基準積雪深よりも小さい第１積雪状況である場合（Ｓ２２：特定積雪深＜第１基準積雪深）、積雪係数算出部２０ｇは、積雪が太陽光発電設備３００の発電に影響を及ぼさない状況であるとして、積雪係数に“１”を設定する（Ｓ２３）。
【００８７】
特定積雪深が第２基準積雪深よりも大きい第２積雪状況である場合（Ｓ２２：第２基準積雪深＜特定積雪深）、積雪係数算出部２０ｇは、積雪により太陽光発電設備３００が発電できない状況であるとして、積雪係数に“０”を設定する（Ｓ２４）。
【００８８】
特定積雪深が第１基準積雪深以上で第２基準積雪深以下である第３積雪状況の場合（Ｓ２２：第１基準積雪深≦特定積雪深≦第２基準積雪深）、積雪係数算出部２０ｇは、現在から予測日における天候または気温に基づいて、積雪係数情報テーブル２０ｊを参照して特定される積雪係数グラフに基づいて積雪係数を算出する（Ｓ２５〜Ｓ４６）。以下、積雪係数の算出手順について、具体的に説明する。
【００８９】
判定方法選択部２０ｃは、第１モード乃至第３モードのいずれかを選択する（Ｓ２５）。判定方法選択部２０ｃは、所定の予測地域に予め紐づけされているモードを選択してもよいし、予測日が該当する月に予め紐づけされているモードを選択してもよいし、操作者からの指示信号に基づいてモードを選択してもよい。
【００９０】
判定方法選択部２０ｃにおいて天候が雪か否かを判定する第１モードが選択された場合（Ｓ２５：第１モード）、雪判定部２０ｄは、翌日および予測日が雪か否かを判定する。
【００９１】
この場合、雪判定部２０ｄが第２予測諸量情報テーブル２０ｋを参照することにより翌日が“雪”で予測日も“雪”と判定する場合（Ｓ２６：ＹＥＳ）、積雪係数算出部２０ｇは積雪係数情報テーブル２０ｊを参照して先の天候に対応する第１積雪係数を算出する（Ｓ２７）。同様に、雪判定部２０ｄが第２予測諸量情報テーブル２０ｋを参照することにより翌日が“雪以外”で予測日が“雪”と判定する場合（Ｓ２８：ＹＥＳ）、積雪係数算出部２０ｇは積雪係数情報テーブル２０ｊを参照して先の天候に対応する第２積雪係数を算出する（Ｓ２９）。同様に、雪判定部２０ｄが第２予測諸量情報テーブル２０ｋを参照することにより翌日が“雪”で予測日が“雪以外”と判定する場合（Ｓ３０：ＹＥＳ）、積雪係数算出部２０ｇは積雪係数情報テーブル２０ｊを参照して先の天候に対応する第３積雪係数を算出する（Ｓ３１）。同様に、雪判定部２０ｄが第２予測諸量情報テーブル２０ｋを参照することにより翌日が“雪以外”で予測日も“雪以外”と判定する場合（Ｓ３０：ＮＯ）、積雪係数算出部２０ｇは積雪係数情報テーブル２０ｊを参照して先の天候に対応する第４積雪係数を算出する（Ｓ３２）。
【００９２】
このように第１積雪係数乃至第４積雪係数を算出することにより、翌日および予測日の天候に応じた最適な積雪係数を算出できる。以下において、第１積雪係数乃至第４積雪係数についてより具体的に説明する。
【００９３】
図１８は、積雪が継続している状況における積雪深と積雪係数との関係の一例を示す第１積雪係数グラフである。第１積雪係数および第２積雪係数は、予測日は雪であり、つまり、予測日に未だ降雪している状況における係数である。積雪係数算出部２０ｇは、図１８に示すような第１積雪係数グラフに基づいて第１積雪係数および第２積雪係数を算出する。図１８に示す第１積雪係数グラフは、例えば、縦軸を積雪係数とし、横軸を積雪深とする座標に、積雪係数と積雪深との関係をプロットしたグラフである。第１積雪係数グラフは、所定の積雪深（ＬおよびＨ）の間において、積雪深が大きくなるにつれて積雪係数が小さくなるグラフである。なお、所定の積雪深とは、任意に設定される値である。なお、一例を示すと、所定の積雪深は、小さい方（Ｌ）を第１基準積雪深と等しい値とし、大きい方（Ｈ）を第２基準積雪深と等しい値として設定される。これにより、予測日に降雪しているため、予測日には融雪しないという状況を、積雪係数に反映することができる。
【００９４】
図１９は、予測日において天候が回復している状況における積雪深と積雪係数との関係の一例を示す第２積雪係数グラフである。第３積雪係数は、翌日は雪であり、予測日には降雪していない状況（雪以外）、つまり、予測日には天候が回復している状況における係数である。積雪係数算出部２０ｇは、図１９に示すような第２積雪係数グラフに基づいて第３積雪係数を算出する。第２積雪係数グラフは、所定の積雪深（ＬおよびＨ）の間において、積雪深が大きくなるにつれて積雪係数が所定の値（Ｑ）まで小さくなるグラフである。第２積雪係数グラフは、所定の値まで積雪係数が低下すると、積雪深が大きくなっても積雪係数は一定値を示す。なお、所定の積雪深とは、任意に設定される値である。これにより、翌日は雪であるため融雪しないが、予測日には天候が回復している（雪以外）ため融雪するという状況を、積雪係数に反映することができる。
【００９５】
図２０は、予測日において天候が回復している状況における積雪深と積雪係数との関係の一例を示す第３積雪係数グラフである。第４積雪係数は、翌日および予測日ともに降雪していない状況（雪以外）、つまり、翌日および予測日ともに天候が回復している状況における係数である。積雪係数算出部２０ｇは、図２０に示すような第３積雪係数グラフに基づいて第４積雪係数を算出する。第３積雪係数グラフは、例えば、現在から予測日にかけて降雪していない状況（雪以外）が継続しているため、積雪係数が“１”で一定となるグラフである。これにより、現在から予測日にかけて天候が回復しているため、パネル上の積雪が発電に影響しない程度まで融雪するという状況を、積雪係数に反映することができる。なお、第３積雪係数グラフは、積雪深が大きくなるにしたがって、僅かに積雪係数が小さくなるようなグラフであってもよい。
【００９６】
なお、第１積雪係数グラフ乃至第３積雪係数グラフにおいて、積雪深が大きくなるにつれて積雪係数が直線的に小さくなるように示しているが、これに限定されず、二次曲線のように小さくなるようなものでもよい。さらにいうと、第１積雪係数グラフ乃至第３積雪係数グラフは、過去の実績に基づいて決定される関数であってもよい。
【００９７】
次に、判定方法選択部２０ｃにおいて天候がみぞれか否かを判定する第２モードが選択された場合（Ｓ２５：第２モード）、みぞれ判定部２０ｅは翌日および予測日がみぞれか否かを判定する。
【００９８】
この場合、みぞれ判定部２０ｅが第２予測諸量情報テーブル２０ｋを参照することにより翌日が“みぞれ”で予測日も“みぞれ”と判定する場合（Ｓ３３：ＹＥＳ）、積雪係数算出部２０ｇは先の天候に対応する第５積雪係数を算出する（Ｓ３４）。同様に、みぞれ判定部２０ｅが第２予測諸量情報テーブル２０ｋを参照することにより翌日が“みぞれ以外”で予測日が“みぞれ”と判定する場合（Ｓ３５：ＹＥＳ）、積雪係数算出部２０ｇは先の天候に対応する第６積雪係数を算出する（Ｓ３６）。同様に、みぞれ判定部２０ｅが第２予測諸量情報テーブル２０ｋを参照することにより翌日が“みぞれ”で予測日が“みぞれ以外”と判定する場合（Ｓ３７：ＹＥＳ）、積雪係数算出部２０ｇは先の天候に対応する第７積雪係数を算出する（Ｓ３８）。同様に、みぞれ判定部２０ｅが第２予測諸量情報テーブル２０ｋを参照することにより翌日が“みぞれ以外”で予測日も“みぞれ以外”と判定する場合（Ｓ３７：ＮＯ）、積雪係数算出部２０ｇは先の天候に対応する第８積雪係数を算出する（Ｓ３９）。
【００９９】
第５積雪係数乃至第８積雪係数の算出手法については、上述した第１積雪係数乃至第４積雪係数の算出手法における“雪”と説明したところを“みぞれ”に置き換えたものと同じであるため、その説明を省略する。ただし、図１８〜図２０における所定の積雪深（ＬおよびＨ）や所定の値（Ｑ）については、みぞれ特有の性質に応じて設定される。
【０１００】
次に、判定方法選択部２０ｃにおいて気温が所定の値を下回るか否かを判定する第３モードが選択された場合（Ｓ２５：第３モード）、気温判定部２０ｆは翌日および予測日の気温が所定の値を下回るか否か、例えば０℃未満か否かを判定する。なお、以下説明においては、気温判定部２０ｆで用いる所定の値を“０℃”として説明する。
【０１０１】
この場合、気温判定部２０ｆが第２予測諸量情報テーブル２０ｋを参照することにより翌日が“０℃未満”で予測日も“０℃未満”と判定する場合（Ｓ４０：ＹＥＳ）、積雪係数算出部２０ｇは先の気温に対応する第９積雪係数を算出する（Ｓ４１）。同様に、気温判定部２０ｆが第２予測諸量情報テーブル２０ｋを参照することにより翌日が“０℃以上”で予測日が“０℃未満”と判定する場合（Ｓ４２：ＹＥＳ）、積雪係数算出部２０ｇは先の気温に対応する第１０積雪係数を算出する（Ｓ４３）。同様に、気温判定部２０ｆが第２予測諸量情報テーブル２０ｋを参照することにより翌日が“０℃未満”で予測日が“０℃以上”と判定する場合（Ｓ４４：ＹＥＳ）、積雪係数算出部２０ｇは先の気温に対応する第１１積雪係数を算出する（Ｓ４５）。同様に、気温判定部２０ｆが第２予測諸量情報テーブル２０ｋを参照することにより翌日が“０℃以上”で予測日も“０℃以上”と判定する場合（Ｓ４４：ＮＯ）、積雪係数算出部２０ｇは先の気温に対応する第１２積雪係数を算出する（Ｓ４６）。
【０１０２】
第９積雪係数乃至第１２積雪係数の算出手法において、気温が０℃以上になると融雪する状況であると認定し、気温が０℃未満であると融雪しない状況であると認定することと、上述した第１積雪係数乃至第４積雪係数の算出手法において、天候が雪以外のときは融雪する状況であると認定し、天候が雪のときは融雪しない状況であると認定することと、は同じことを意味する。したがって、第９積雪係数乃至第１２積雪係数の算出手法は、上述した第１積雪係数乃至第４積雪係数の算出手法における“雪”と説明したところを“０℃未満”に置き換え“雪以外”と説明したところを“０℃以上”に置き換えた算出手法と同じであるとし、その説明を省略する。ただし、図１８〜図２０における所定の積雪深（ＬおよびＨ）や所定の値（Ｑ）については、気温が融雪に及ぼす影響に応じて設定される。
【０１０３】
次に、発電出力算出部２０ｈは、式（６）により、予測日の発電出力を算出する（Ｓ４７）。Ｓ２１〜Ｓ４７の処理を、予測地域分繰り返す（Ｓ２０）。
【０１０４】
＝＝＝まとめ＝＝＝
以上説明したように、本実施形態に係る発電出力予測装置２０は、現在または将来の積雪深を示す積雪深情報と、将来における、天候を示す天候情報と、気温を示す気温情報と、太陽光発電設備３００が設置されている地点における日射量を示す日射量情報と、を取得する第１取得部２０ａと、積雪が太陽光発電設備３００の発電に影響を及ぼさない積雪深を示す第１基準積雪深と、第１基準積雪深よりも大きく、積雪により太陽光発電設備３００が発電できない積雪深を示す第２基準積雪深と、に対する積雪深の大小関係を判定する閾値判定部２０ｂと、第１判定部において積雪深が第１基準積雪深と第２基準積雪深との間の値であると判定された場合、天候情報または気温情報のいずれか一方に基づいて、太陽光発電設備３００の発電に対して積雪が及ぼす影響度合いを示す積雪係数を算出する積雪係数算出部２０ｇと、積雪係数と、日射量情報と、に基づいて太陽光発電設備３００の発電出力を算出する発電出力算出部２０ｈと、を備える。本実施形態によれば、将来の天候または気温を考慮することにより、予測日における積雪による太陽光発電設備３００の発電出力への影響を正確に予測することができるため、発電出力の予測精度を向上できる。
【０１０５】
又、本実施形態に係る発電出力予測装置２０が用いる天候は、雪またはみぞれである。本実施形態によれば、融雪に影響する天候を限定するためシステム構築費用を縮減できる。
【０１０６】
又、本実施形態に係る発電出力予測装置２０における積雪係数は、将来における、太陽光発電設備３００の発電出力を予測する予測日の天候を示す天候情報と、予測日の前日の天候を示す天候情報と、の組み合わせに応じた第１積雪係数乃至第８積雪係数（天候積雪係数）、又は、予測日の気温を示す気温情報と、予測日の前日の気温を示す気温情報と、の組み合わせに応じた第９積雪係数乃至第１２積雪係数（気温積雪係数）のいずれかである。本実施形態によれば、雪、みぞれ、気温のそれぞれの特徴に応じて積雪係数を算出できるため、発電出力の予測精度をより向上できる。
【０１０７】
又、本実施形態に係る発電出力予測システム１は、積雪深の予測値を示す積雪深情報に基づいて太陽光発電設備３００の発電出力を算出する発電出力予測装置２０と、積雪深の予測値を算出する積雪予測装置１０と、を備え、積雪予測装置１０は、現在または過去の第１時点における積雪深を示す積雪深情報と、第１時点から予測日までの期間における気温に関する気温情報と、を取得する第２取得部１０ａと、気温情報と、気温が融雪に影響を与える度合いを示す第１，第２融雪高係数と、に基づいて、第１時点から予測日までに融雪した高さを示す融雪高を算出する第１，第２融雪高算出部１０ｅ，１０ｆと、積雪深情報と、融雪高を示す融雪高情報と、に基づいて、予測日の積雪深の予測値を算出する積雪算出部１０ｈと、を有する。本実施形態によれば、現在の積雪深情報を用いるよりも、積雪深の予測値を用いる方が、積雪が太陽光発電設備３００の発電に全く影響しない状況であるか、積雪により太陽光発電設備３００が発電できない状況であるか、を正確に判定できるため、発電出力の予測精度をより向上できる。
【０１０８】
又、本実施形態に係る発電出力予測システム１における気温情報は、第１時点から第２時点までの期間において、所定の時点の気温が所定の基準気温を超過した分に関する値の情報であり、第２融雪高算出部１０ｆは、該気温情報と、所定の時点の気温が基準気温を超えた分に関する値が融雪に影響を与える度合いを示す第２融雪高係数と、に基づいて第１時点から第２時点までの融雪高を算出する。本実施形態によれば、各時刻における気温が基準気温を超過した分を積算することにより、１日における各時刻の気温が融雪に影響を与える度合いを、融雪を算出するにあたり、より正確に反映できる。
【０１０９】
又、本実施形態に係る発電出力予測システム１における気温情報は、１日の平均気温を示す情報であり、第１融雪高算出部１０ｅは、平均気温が所定の気温を超過している場合に、気温情報と、第１融雪高係数と、に基づいて融雪高を算出する。本実施形態によれば、取得容易な気温情報だけで単純に融雪高を算出できるため、容易にシステムを構築できる。
【０１１０】
又、本実施形態に係る発電出力予測システム１における第２取得部１０ａは、第１時点から予測日までの期間における、天候を示す天候情報と、気温を示す気温情報と、降水量を示す降水量情報と、を取得し、天候情報と、気温情報と、降水量情報と、天候が“雪”または“みぞれ”のときに降水量が積雪に影響を与える度合いを示す第１積雪高係数と、気温が所定の値以下（例えば氷点下）のときに降水量が積雪に影響を与える度合いを示す第２積雪高係数と、に基づいて、第１時点から予測日までに積雪した高さを示す積雪高を算出する積雪高算出部１０ｇをさらに備え、積雪算出部１０ｈは、積雪深情報と、融雪高情報と、積雪高を示す積雪高情報と、に基づいて、予測日の積雪深を算出する。本実施形態によれば、融雪高に加えて、現在から予測日までに新たに積雪した分を予測日の積雪深に反映することにより、より正確に予測日の積雪深を算出できる。
【０１１１】
尚、上記の実施形態は、本発明の理解を容易にするためのものであり、本発明を限定して解釈するためのものではない。本発明は、その趣旨を逸脱することなく、変更、改良され得るとともに、本発明にはその等価物も含まれる。
【符号の説明】
【０１１２】
１  発電出力予測システム
１０  積雪予測装置
１０ａ  第２取得部
１０ｃ  第１判定部
１０ｄ  第２判定部
１０ｅ  第１融雪高算出部
１０ｆ  第２融雪高算出部
１０ｇ  積雪高算出部
１０ｈ  積雪算出部
２０  発電出力予測装置
２０ａ  第１取得部
２０ｂ  閾値判定部
２０ｇ  積雪係数算出部
２０ｈ  発電出力算出部
３００  太陽光発電設備
【図１】
2019219978.tif 000004
【図２】
2019219978.tif 000005
【図３】
2019219978.tif 000006
【図４】
2019219978.tif 000007
【図５】
2019219978.tif 000008
【図６】
2019219978.tif 000009
【図７】
2019219978.tif 000010
【図８】
2019219978.tif 000011
【図９】
2019219978.tif 000012
【図１０】
2019219978.tif 000013
【図１１】
2019219978.tif 000014
【図１２】
2019219978.tif 000015
【図１３】
2019219978.tif 000016
【図１４】
2019219978.tif 000017
【図１５】
2019219978.tif 000018
【図１６】
2019219978.tif 000019
【図１７】
2019219978.tif 000020
【図１８】
2019219978.tif 000021
【図１９】
2019219978.tif 000022
【図２０】
2019219978.tif 000023